【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
一般式（１）で表わされる化合物と一般式（２）で表わされる化合物とが重合している材料であって、
前記材料における、前記一般式（２）で表わされる化合物の含有量が前記一般式（１）で表わされる化合物の含有量の１．０重量％以上１０．０重量％以下であることを特徴とする材料。
【化１】
2017200979.tif 000001
【化２】
2017200979.tif 000002
（一般式（１）及び一般式（２）中、
Ｘ１、Ｘ２、Ｙ１、及びＹ２はＯまたはＳであり、それぞれ同じであっても異なっていても良く、
Ｒ１乃至Ｒ４は、メチル基、エチル基、プロピル基、イソプロピル基、アリル基、２−（メタ）アクリロイルオキシエチル基、３−（メタ）アクリロイルオキシプロピル基、及び４−（メタ）アクリロイルオキシブチル基から選ばれる一つであって、それぞれ同じであっても異なっていても良く、
Ｚ１、Ｚ４、及びＺ６は一般式（３）で表わされる構造であり、Ｚ２、Ｚ３、Ｚ５、及びＺ７は、水素原子、メチル基、エチル基、イソプロピル基、メトキシ基、エトキシ基、イソプロポキシ基、メチルチオ基、エチルチオ基、プロピルチオ基、２−（メタ）アクリロイルオキシエトキシ基、３−（メタ）アクリロイルオキシプロポキシ基、４−（メタ）アクリロイルオキシブトキシ基、及び一般式（３）で表わされる構造より選ばれる一つであって、それぞれ同じであっても異なっていても良く、
Ｚ８は一般式（３）で表わされる構造中のＶである。
【化３】
2017200979.tif 000003
一般式（３）中、ｍは０または１であり、Ｗは水素原子またはメチル基であり、Ｖは下記に示す構造より選ばれる。
＊−Ｏ−＊＊、
＊−Ｓ−＊＊、
＊−Ｏ−ＣｎＨ２ｎ−Ｏ−＊＊、
＊−Ｓ−ＣｎＨ２ｎ−Ｏ−＊＊、
＊−Ｏ−ＣｎＨ２ｎ−Ｓ−＊＊、
＊−Ｓ−ＣｎＨ２ｎ−Ｓ−＊＊、
前記Ｚ１乃至Ｚ７において、上記構造の＊はアルキレン部位との結合手を表し、＊＊は（メタ）アクリロイル基との結合手を表す。前記Ｚ８において前記Ｖは、＊−Ｏ−＊＊及び＊−Ｓ−＊＊でなく、＊及び＊＊は共にアルキレン部位との結合手を表す。前記Ｖ中のＣｎＨ２ｎで表される構造は炭素原子上に置換基を有していても良く、ｎは２乃至５より選ばれる整数である。）
【請求項２】
前記Ｘ１、Ｘ２、Ｙ１、及びＹ２がＯであることを特徴とする請求項１に記載の材料。
【請求項３】
前記Ｒ１乃至Ｒ４が、メチル基、エチル基、プロピル基、及びイソプロピル基から選ばれる一つであり、
前記Ｚ２、Ｚ３、Ｚ５、及びＺ７が、水素原子、メチル基、エチル基、及びイソプロピル基から選ばれる一つであることを特徴とする請求項１または２に記載の材料。
【請求項４】
前記Ｒ１乃至Ｒ４は、メチル基またはイソプロピル基であり、前記Ｚ２、Ｚ３、Ｚ５、及びＺ７が水素原子であることを特徴とする請求項１乃至３のいずれか一項に記載の材料。
【請求項５】
前記一般式（３）中、前記ｍが０であり、前記Ｖが以下に示す構造であることを特徴とする請求項１乃至４のいずれか１項に記載の材料。
＊−Ｏ−＊＊、
＊−Ｓ−＊＊、
＊−Ｏ−ＣＨ２ＣＨ２−Ｏ−＊＊、
＊−Ｏ−ＣＨ２ＣＨ２ＣＨ２−Ｏ−＊＊、
＊−Ｏ−ＣＨ２ＣＨ２ＣＨ２ＣＨ２−Ｏ−＊＊、
＊−Ｏ−ＣＨ２Ｃ（ＣＨ３）２ＣＨ２−Ｏ−＊＊、
＊−Ｓ−ＣＨ２ＣＨ２−Ｓ−＊＊、
＊−Ｓ−ＣＨ２ＣＨ２ＣＨ２−Ｓ−＊＊、
＊−Ｓ−ＣＨ２ＣＨ２ＣＨ２ＣＨ２−Ｓ−＊＊、
＊−Ｓ−ＣＨ２Ｃ（ＣＨ３）２ＣＨ２−Ｓ−＊＊、
（ただし、前記Ｚ１乃至Ｚ７において＊はアルキレン部位との結合手を表し、＊＊は（メタ）アクリロイル基との結合手を表す。前記Ｚ８において前記Ｖは、＊−Ｏ−＊＊及び＊−Ｓ−＊＊でなく、＊及び＊＊は共にアルキレン部位との結合手を表す。）
【請求項６】
請求項１乃至５のいずれか１項に記載の材料を含有する光学部材。
【請求項７】
基材上に光学部材が設けられた光学素子であって、
前記光学部材が請求項６に記載の光学部材であることを特徴とする光学素子。
【請求項８】
２つの基材の間に光学部材が設けられた光学素子であって、
前記光学部材が請求項６に記載の光学部材であることを特徴とする光学素子。
【請求項９】
前記光学素子は光学レンズであることを特徴とする請求項７または８に記載の光学素子。
【請求項１０】
請求項７乃至９のいずれか１項に記載の光学素子を有する光学機器。
【請求項１１】
前記光学機器がカメラである請求項１０に記載の光学機器。
【請求項１２】
一般式（１）で表わされる化合物と一般式（２）で表わされる化合物を含む光学用組成物であって、一般式（２）で表わされる化合物の含有量が一般式（１）で表わされる化合物の含有量の１．０重量％以上１０．０重量％以下である光学用組成物を用意する工程と、
前記光学用組成物を重合して硬化させることを特徴とする材料の製造方法。
【化４】
2017200979.tif 000004
【化５】
2017200979.tif 000005
（一般式（１）及び一般式（２）中、
Ｘ１、Ｘ２、Ｙ１、及びＹ２はＯまたはＳであり、それぞれ同じであっても異なっていても良く、
Ｒ１乃至Ｒ４は、メチル基、エチル基、プロピル基、イソプロピル基、アリル基、２−（メタ）アクリロイルオキシエチル基、３−（メタ）アクリロイルオキシプロピル基、及び４−（メタ）アクリロイルオキシブチル基から選ばれる一つであって、それぞれ同じであっても異なっていても良く、
Ｚ１、Ｚ４、及びＺ６は一般式（３）で表わされる構造であり、Ｚ２、Ｚ３、Ｚ５、及びＺ７は、水素原子、メチル基、エチル基、イソプロピル基、メトキシ基、エトキシ基、イソプロポキシ基、メチルチオ基、エチルチオ基、プロピルチオ基、２−（メタ）アクリロイルオキシエトキシ基、３−（メタ）アクリロイルオキシプロポキシ基、４−（メタ）アクリロイルオキシブトキシ基、及び一般式（３）で表わされる構造より選ばれる一つであって、それぞれ同じであっても異なっていても良く、
Ｚ８は一般式（３）で表わされる構造中のＶである。
【化６】
2017200979.tif 000006
一般式（３）中、ｍは０または１であり、Ｗは水素原子またはメチル基であり、Ｖは下記に示す構造より選ばれる。
＊−Ｏ−＊＊、
＊−Ｓ−＊＊、
＊−Ｏ−ＣｎＨ２ｎ−Ｏ−＊＊、
＊−Ｓ−ＣｎＨ２ｎ−Ｏ−＊＊、
＊−Ｏ−ＣｎＨ２ｎ−Ｓ−＊＊、
＊−Ｓ−ＣｎＨ２ｎ−Ｓ−＊＊、
前記Ｚ１乃至Ｚ７において、上記構造の＊はアルキレン部位との結合手を表し、＊＊は（メタ）アクリロイル基との結合手を表す。前記Ｚ８において前記Ｖは、＊−Ｏ−＊＊及び＊−Ｓ−＊＊でなく、＊及び＊＊は共にアルキレン部位との結合手を表す。前記Ｖ中のＣｎＨ２ｎで表される構造は炭素原子上に置換基を有していても良く、ｎは２乃至５より選ばれる整数である。）
【請求項１３】
前記光学用組成物は、前記一般式（１）で表わされる化合物及び前記一般式（２）で表わされる化合物の少なくともいずれか一方と共重合可能な重合性材料をさらに含むことを特徴とする請求項１２に記載の材料の製造方法。
【請求項１４】
前記一般式（１）で表わされる化合物及び前記一般式（２）で表わされる化合物は、前記共重合可能な重合性材料に分散されていることを特徴とする請求項１３に記載の材料の製造方法。
【請求項１５】
前記光学用組成物は、マトリックスポリマー化合物をさらに含むことを特徴とする請求項１２に記載の材料の製造方法。
【手続補正２】
【補正対象書類名】明細書
【補正対象項目名】００１２
【補正方法】変更
【補正の内容】
【００１２】
上記の課題を解決する材料は、一般式（１）で表わされる化合物と一般式（２）で表わされる化合物とが重合している材料であって、前記材料における、一般式（２）で表わされる化合物の含有量が一般式（１）で表わされる化合物の含有量の１．０重量％以上１０．０重量％以下であることを特徴とする材料である。
【化１】
2017200979.tif 000007
【化２】
2017200979.tif 000008
（一般式（１）及び一般式（２）中、Ｘ１、Ｘ２、Ｙ１、及びＹ２は、ＯまたはＳであり、それぞれ同じであっても異なっていても良く、Ｒ１乃至Ｒ４は、メチル基、エチル基、プロピル基、イソプロピル基、アリル基、２−（メタ）アクリロイルオキシエチル基、３−（メタ）アクリロイルオキシプロピル基、及び４−（メタ）アクリロイルオキシブチル基から選ばれる一つであって、それぞれ同じであっても異なっていても良く、Ｚ１、Ｚ４、及びＺ６は一般式（３）で表わされる構造であり、Ｚ２、Ｚ３、Ｚ５、及びＺ７は、水素原子、メチル基、エチル基、イソプロピル基、メトキシ基、エトキシ基、イソプロポキシ基、メチルチオ基、エチルチオ基、プロピルチオ基、２−（メタ）アクリロイルオキシエトキシ基、３−（メタ）アクリロイルオキシプロポキシ基、４−（メタ）アクリロイルオキシブトキシ基、及び一般式（３）で表わされる構造より選ばれる一つであって、それぞれ同じであっても異なっていても良く、Ｚ８は一般式（３）で表わされる構造中のＶである。
【化３】
2017200979.tif 000009
一般式（３）中、ｍは０または１であり、Ｗは水素原子またはメチル基であり、Ｖは下記に示す置換基より選ばれる。
＊−Ｏ−＊＊、
＊−Ｓ−＊＊、
＊−Ｏ−ＣｎＨ２ｎ−Ｏ−＊＊、
＊−Ｓ−ＣｎＨ２ｎ−Ｏ−＊＊、
＊−Ｏ−ＣｎＨ２ｎ−Ｓ−＊＊、
＊−Ｓ−ＣｎＨ２ｎ−Ｓ−＊＊、
Ｚ１乃至Ｚ７において、上記構造の＊はアルキレン部位との結合手を表し、＊＊は（メタ）アクリロイル基との結合手を表す。Ｚ８においてＶは、＊−Ｏ−＊＊及び＊−Ｓ−＊＊でなく、＊及び＊＊は共にアルキレン部位との結合手を表す。前記Ｖ中のＣｎＨ２ｎで表される構造は炭素原子上に置換基を有していても良く、ｎは２乃至５より選ばれる整数である。）
【手続補正３】
【補正対象書類名】明細書
【補正対象項目名】００１３
【補正方法】変更
【補正の内容】
【００１３】
上記の課題を解決する材料の製造方法は、一般式（１）で表わされる化合物と一般式（２）で表わされる化合物を含む光学用組成物であって、一般式（２）で表わされる化合物の含有量が一般式（１）で表わされる化合物の含有量の１．０重量％以上１０．０重量％以下である光学用組成物を用意する工程と、
前記光学用組成物を重合して硬化させることを特徴とする材料の製造方法である。
【化４】
2017200979.tif 000010
【化５】
2017200979.tif 000011
（一般式（１）及び一般式（２）中、Ｘ１、Ｘ２、Ｙ１、及びＹ２はＯまたはＳであり、それぞれ同じであっても異なっていても良い。Ｒ１乃至Ｒ４は、メチル基、エチル基、プロピル基、イソプロピル基、アリル基、２−（メタ）アクリロイルオキシエチル基、３−（メタ）アクリロイルオキシプロピル基、及び４−（メタ）アクリロイルオキシブチル基から選ばれる一つであって、それぞれ同じであっても異なっていても良い。前記Ｒ１乃至Ｒ４が、アリル基、２−（メタ）アクリロイルオキシエチル基、３−（メタ）アクリロイルオキシプロピル基、または４−（メタ）アクリロイルオキシブチル基である場合、前記Ｒ１乃至Ｒ４は、前記アリル基、２−（メタ）アクリロイルオキシエチル基、３−（メタ）アクリロイルオキシプロピル基、または４−（メタ）アクリロイルオキシブチル基の二重結合が開裂した結合を有する基であっても良い。Ｚ１、Ｚ４、及びＺ６は一般式（３）で表わされる構造、または一般式（３）で表わされる構造の二重結合が開裂した結合を有する構造であっても良い。Ｚ２、Ｚ３、Ｚ５、及びＺ７は、水素原子、メチル基、エチル基、イソプロピル基、メトキシ基、エトキシ基、イソプロポキシ基、メチルチオ基、エチルチオ基、プロピルチオ基、２−（メタ）アクリロイルオキシエトキシ基、３−（メタ）アクリロイルオキシプロポキシ基、４−（メタ）アクリロイルオキシブトキシ基、及び一般式（３）で表わされる構造より選ばれる一つであって、それぞれ同じであっても異なっていても良い。前記Ｚ２、Ｚ３、Ｚ５、及びＺ７が、２−（メタ）アクリロイルオキシエトキシ基、３−（メタ）アクリロイルオキシプロポキシ基、４−（メタ）アクリロイルオキシブトキシ基、または一般式（３）で表わされる構造である場合、前記Ｚ２、Ｚ３、Ｚ５、及びＺ７は、前記２−（メタ）アクリロイルオキシエトキシ基、３−（メタ）アクリロイルオキシプロポキシ基、４−（メタ）アクリロイルオキシブトキシ基、または一般式（３）で表わされる構造の二重結合が開裂した結合を有する構造であっても良い。一般式（４）または一般式（５）中の、それぞれ少なくとも２つの破線は、前記二重結合が開裂した結合である。Ｚ８は一般式（３）で表わされる構造中のＶである。
【化６】
2017200979.tif 000012
一般式（３）中、ｍは０または１であり、Ｗは水素原子またはメチル基であり、Ｖは下記に示す構造より選ばれる。
＊−Ｏ−＊＊、
＊−Ｓ−＊＊、
＊−Ｏ−ＣｎＨ２ｎ−Ｏ−＊＊、
＊−Ｓ−ＣｎＨ２ｎ−Ｏ−＊＊、
＊−Ｏ−ＣｎＨ２ｎ−Ｓ−＊＊、
＊−Ｓ−ＣｎＨ２ｎ−Ｓ−＊＊、
Ｚ１乃至Ｚ７において、上記構造の＊はアルキレン部位との結合手を表し、＊＊は（メタ）アクリロイル基との結合手を表す。Ｚ８においてＶは、＊−Ｏ−＊＊及び＊−Ｓ−＊＊でなく、＊及び＊＊は共にアルキレン部位との結合手を表す。前記Ｖ中のＣｎＨ２ｎで表される構造は炭素原子上に置換基を有していても良く、ｎは２乃至５より選ばれる整数である。）
上記の課題を解決する光学部材は、上記の材料を含有する光学部材である。